(57)【特許請求の範囲】
【請求項１】
排出されたスラグを冷却するスラグ冷却部と、
前記スラグ冷却部から排出されたスラグと液体とを貯留するスラリータンクと、
前記スラリータンクに貯留されたスラグを液体によりスラリー化して搬送するスラグスラリー搬送部と、
スラグスラリー搬送部から搬送されたスラグスラリーから、液体を排出しスラグを貯蔵するスラグ貯蔵タンクと、
前記スラグ貯蔵タンクから排出された液体を回収し、スラリータンクに供給する回収部と、を有し、
前記回収部は、前記スラグ貯蔵タンクの液体の排出部分の下方に配置され、前記スラグ貯蔵タンクから排出された液体を回収する受け部と、前記受け部が回収した液体を前記スラリータンクに直接搬送する回収管と、を備えることを特徴とするスラグ排出システム。
【請求項２】
前記スラグ貯蔵タンクは、液体を選択的に通過させるフィルタが壁面に配置されていることを特徴とする請求項１に記載のスラグ排出システム。
【請求項３】
前記スラリータンクに貯留されている液体の液位を検出する液位検出部、
前記スラリータンクに液体を供給する液体供給部、
前記液位検出部で検出した液位に基づいて前記液体供給部の動作を制御する制御部を備える液位調整手段をさらに有し、
前記制御部は、前記液位検出部で検出した液位が設定した液位の下限値である場合は、前記液体供給部から前記スラリータンクに液体を供給することを特徴とする請求項１または２に記載のスラグ排出システム。
【請求項４】
前記液位調整手段は、前記スラリータンクの一定以上の液位を超える液体を前記液体供給部に排出するオーバーフロー管をさらに備えることを特徴とする請求項３に記載のスラグ排出システム。
【請求項５】
前記制御部は、前記液位検出部で検出した液位が設定した液位の上限値である場合は、前記液体供給部から前記スラリータンクへの液体の供給を停止することを特徴とする請求項３または４に記載のスラグ排出システム。
【請求項６】
前記液体供給部は、液体を貯留するタンクと、前記タンクと前記スラリータンクを接続する供給配管と、前記供給配管に配置され、前記供給配管に前記タンクから前記スラリータンクに向けた液体の流れを形成するポンプと、前記供給配管の前記ポンプよりも前記スラリータンク側と前記スラリータンクとを接続する循環配管と、前記供給配管の前記循環配管よりも前記スラリータンク側に配置された開閉弁と、を有し、
前記制御部は、前記開閉弁の開閉を制御し、前記スラリータンクへの液体の供給を制御することを特徴とする請求項３から５のいずれか一項に記載のスラグ排出システム。
【発明の詳細な説明】
【技術分野】
【０００１】
本発明は、生成されたスラグを回収し、排出するスラグ排出システムに関する。
【背景技術】
【０００２】
石炭をガス化して得られた石炭ガスによりガスタービンを駆動して発電する技術がある。石炭をガス化するためには、石炭ガス化炉が使用される。石炭をガス化すると、石炭ガス化炉には燃え滓としてスラグが残る。このようなスラグは、石炭ガス化炉から排出される必要がある。スラグは充分に高温であれば流動性を有するため、一般に、石炭ガス化炉の下部に設けられたスラグホールから連続的に排出される。スラグホールの下方には、冷却水を満たしたスラグ排出筒が設けられ、スラグは、冷却水によって冷却されて固化された後、スラグ排出筒から排出される。
【０００３】
スラグを排出するシステムとしては、特許文献１、特許文献２、特許文献３に記載されているような装置がある。特許文献１または特許文献２に記載されている装置は、いずれも、固化したスラグをベルトコンベアにより、貯蔵タンク等に搬送している。また、特許文献３に記載の装置は、ハウジング内に配置され、複数のフライトが装着された軸を回転させることで、スラグをコンテナに搬送する機構が記載されている。
【先行技術文献】
【特許文献】
【０００４】
【特許文献１】特開２００２−１２２３１９号公報
【特許文献２】特表２００３−５１８１５７号公報
【特許文献３】特開２００３−８８８３２号公報
【発明の概要】
【発明が解決しようとする課題】
【０００５】
ここで、特許文献１から特許文献３に記載されている排出システムは、ベルトコンベアや、スクリューでスラグを搬送する構成である。そのため、コンベアの傾斜角度に限界があったり、コンベア、スクリューを直線上に配置する必要があったりして、装置構成の自由度が低いという問題がある。また、スクレイパや、掻き爪によりスラグを搬送することで、確実に搬送することができるが、１つのスクレイパや、掻き爪による搬送は、搬送量に限界があり、また、搬送が間欠搬送となる。
【０００６】
本発明は、上記に鑑みてなされたものであって、より簡単かつ好適にスラグを排出することができるスラグ排出システムを提供することを目的とする。
【課題を解決するための手段】
【０００７】
上述した課題を解決し、目的を達成するために、本発明は、スラグ排出システムであって、排出されたスラグを冷却するスラグ冷却部と、前記スラグ冷却部から排出されたスラグと液体とを貯留するスラリータンクと、前記スラリータンクに貯留されたスラグを液体によりスラリー化して搬送するスラグスラリー搬送部と、スラグスラリー搬送部から搬送されたスラグスラリーから、液体を排出しスラグを貯留するスラグ貯蔵タンクと、前記スラグ貯蔵タンクから排出された液体を回収し、スラリータンクに供給する回収部と、を有することを特徴とする。
【０００８】
これにより、スラグ排出システムは、スラグをスラリー状にし、かつスラグと共にスラグ搬送した液体をスラグ貯蔵タンクから回収することで、効率よくスラグを搬送することができる。また、スラグをスラリー状にして搬送することで、スラグの搬送経路の設計自由度を高くすることができ、装置構成の設計自由度を高くすることができる。
【０００９】
ここで、前記スラグ貯蔵タンクは、液体を選択的に通過させるフィルタが壁面に配置されていることが好ましい。これにより、スラリーを構成する液体を適切に排出することができる。
【００１０】
また、前記スラリータンクに貯留されている液体の液位を検出する液位検出部、前記スラリータンクに液体を供給する液体供給部、前記液位検出部で検出した液位に基づいて前記液体供給部の動作を制御する制御部を備える液位調整手段をさらに有し、前記制御部は、前記液位検出部で検出した液位が設定した液位の下限値である場合は、前記液体供給部から前記スラリータンクに液体を供給することが好ましい。これにより、スラリータンク内のスラグ濃度を一定範囲に維持することができ、スラグをより適切に搬送することができる。
【００１１】
また、前記液位調整手段は、前記スラリータンクの一定以上の液位を超える液体を前記液体供給部に排出するオーバーフロー管をさらに備えることが好ましい。これにより、より簡単に液位を調整することができる。
【００１２】
また、前記制御部は、前記液位検出部で検出した液位が設定した液位の上限値である場合は、前記液体供給部から前記スラリータンクへの液体の供給を停止することが好ましい。これにより、スラグの排出により使用するエネルギーを効率よく使用することができる。
【発明の効果】
【００１３】
本発明にかかるスラグ排出システムは、スラグを簡単かつ好適に排出することができるという効果を奏する。
【図面の簡単な説明】
【００１４】
【図１】図１は、スラグ排出システムの一実施形態の概略構成を示す模式図である。
【図２】図２は、図１に示すスラグ貯蔵タンクの概略構成を示す側面図である。
【図３】図３は、図２のＡ−Ａ線断面図である。
【図４】図４は、スラグ排出システムの動作を説明するフロー図である。
【図５】図５は、スラグ排出システムの他の実施形態の概略構成を示す模式図である。
【発明を実施するための形態】
【００１５】
以下、本発明につき図面を参照しつつ詳細に説明する。なお、下記の発明を実施するための形態（以下、実施形態という）により本発明が限定されるものではない。また、下記実施形態における構成要素には、当業者が容易に想定できるもの、実質的に同一のもの、いわゆる均等の範囲のものが含まれる。さらに、下記実施形態で開示した構成要素は適宜組み合わせることが可能である。
【００１６】
以下に、本発明にかかるスラグ排出システムの実施形態を図面に基づいて詳細に説明する。なお、この実施形態によりこの発明が限定されるものではない。
【００１７】
図１は、スラグ排出システムの一実施形態の概略構成を示す模式図である。まず、図１に示すスラグ排出システム２０の周囲に配置されている、ガス化炉１２、スラグホッパ１４、開閉弁１６、搬送車両１８について説明する。ガス化炉１２は、石炭等の燃焼物質をガス化し、生成したガスを燃焼炉等に供給する。また、ガス化炉１２は、燃焼物質をガス化した際に生成されるスラグを下部に配置されたスラグホッパ１４に貯留する。スラグホッパ１４は、ガス化炉１２の下部に配置され、ガス化炉１２で生成されたスラグを収集し、スラグを貯留する貯留機構である。なお、スラグホッパ１４は、鉛直方向下側に向かうに従って径が小さくなる漏斗形状であり、ガス化炉１２で生成されたスラグを鉛直方向下側に移動させることで、生成されたスラグを１箇所に収集する。開閉弁１６は、スラグホッパ１４のスラグの通過経路の鉛直方向下側の端部に配置されている。開閉弁１６は、開閉を切り換えることで、スラグホッパ１４に貯留されているスラグのスラグ排出システム２０への排出の開始、停止を切り換える。なお、開閉弁１６から排出されるスラグは、固体であっても、流体であってもよい。また、開閉弁１６から排出されるスラグは、基本的に、高温のスラグであり、冷却する必要がある。
【００１８】
搬送車両１８は、スラグ排出システム２０から排出されたスラグを所定の位置まで運ぶ車両である。搬送車両１８としては、トラックを用いることができる。なお、本実施形態では、搬送車両１８に排出する構成としたが、本発明はこれに限定されず、種々の対象に排出することができる。
【００１９】
次に、スラグ排出システム２０について説明する。スラグ排出システム２０は、ガス化炉１２で生成され、スラグホッパ１４の開閉弁１６から排出されたスラグを搬送車両１８に排出するシステムである。スラグ排出システム２０は、スラグロックホッパ２２と、スラグ冷却部２６と、スラグ搬送部（スラグスラリー搬送部）２８と、スラグ貯蔵タンク３０と、排出口３２とを有する。
【００２０】
スラグロックホッパ２２は、スラグを一時的に貯留する貯留部であり、開閉弁１６の直下に配置されている。スラグロックホッパ２２は、開閉弁１６から排出されたスラグを一時的に貯留し、その後、スラグ冷却部２６に供給する。
【００２１】
スラグ冷却部２６は、冷却タンク２６ａと、搬送コンベア２６ｂとを有し、スラグロックホッパ２２から排出されたスラグを冷却した後、スラグ搬送部２８に供給する。冷却タンク２６ａは、水等のスラグを冷却する液体が貯留されたタンクであり、スラグロックホッパ２２の直下に配置されている。スラグロックホッパ２２から排出されたスラグは、冷却タンク２６ａに貯留された液体中に落下し、液体により冷却される。搬送コンベア２６ｂは、冷却タンク２６ａ中に落下され、冷却されたスラグを搬送する搬送機構である。搬送コンベア２６ｂは、一部が冷却タンク２６ａ内に配置されており、冷却タンク２６ａ内のスラグを保持し、移動させて、スラグ搬送部２８に排出する。
【００２２】
スラグ搬送部（スラグスラリー搬送部）２８は、スラグ冷却部２６から排出されたスラグをスラグ貯蔵タンク３０に搬送する搬送機構であり、スラリータンク４０と、輸送管４２と、スラリーポンプ４３と、液位調整手段４４と、回収管６２と、水受け部６３ａ、６３ｂとを有する。スラリータンク４０は、スラグ冷却部２６から供給されたスラグと、水とを貯留するタンクである。スラリータンク４０は、水にスラグを分散させた状態で貯留している。輸送管４２は、スラリータンク４０と、スラグ貯蔵タンク３０とを接続する配管である。また、スラリーポンプ４３は、輸送管４２に配置され、輸送管４２に、スラリータンク４０内のスラグが分散された水がスラグ貯蔵タンク３０に流れる流れを形成する。このように、スラグ搬送部２８は、スラリータンク４０内の水に分散されたスラグを、スラリー状にして輸送管４２とスラリーポンプ４３によりスラグ貯蔵タンク３０まで搬送する。
【００２３】
次に、液位調整手段４４は、スラリータンク４０への水の供給を制御し、スラリータンク４０の液位を調整する。液位調整手段４４は、貯水槽５０と、供給配管５１と、給水ポンプ５２と、循環配管５３と、オーバーフロー管５４と、開閉弁５６と、レベル計５８と、制御部６０と、を有する。貯水槽５０は、水を貯留するタンクである。供給配管５１は、貯水槽５０とスラリータンク４０とを接続する配管である。給水ポンプ５２は、供給配管５１に配置され、供給配管５１に、貯水槽５０に貯留されている水がスラリータンク４０に向けて流れる流れを形成する。つまり、給水ポンプ５２は、貯水槽５０に貯留されている水をスラリータンク４０に向けて流す。循環配管５３は、供給配管５１の給水ポンプ５２よりもスラリータンク４０側の部分と、スラリータンク４０とを接続する配管である。次に、オーバーフロー管５４は、スラリータンク４０の所定の液位の壁面と、貯水槽５０とを接続する配管である。オーバーフロー管５４は、スラリータンク４０の液位が接続している部分を越えたら、スラリータンク４０内の水が流れ込む向きで配置されている。オーバーフロー管５４は、スラリータンク４０から排出された水を貯水槽５０に排出する。
【００２４】
次に、開閉弁５６は、供給配管５１の循環配管５３が設けられている部分よりもスラリータンク４０側に配置されており、供給配管５１の管路の開閉を切り換える。液位調整手段４４は、開閉弁５６が開状態となることで、供給配管５１を流れる水がスラリータンク４０に供給され、開閉弁５６が閉状態となることで、供給配管５１を流れる水がスラリータンク４０に供給されない。なお、開閉弁５６が閉状態のときは、給水ポンプ５２により供給配管５１を流れている水は、循環配管５３により貯水槽５０に戻される。これにより、給水ポンプ５２を常に駆動させた状態とすることができ、応答性が高い制御が可能となる。
【００２５】
レベル計５８は、スラリータンク４０の液位（本実施形態では、水位）を検出するセンサである。なお、レベル計５８としては、スラリータンク４０に貯留されている水（水とスラグが混合されたスラリー）の液面（水面）の位置を検出できる種々のセンサを用いることができる。
【００２６】
制御部６０は、レベル計５８で検出した液位に基づいて、開閉弁５６の開閉動作を制御する。つまり、制御部６０は、レベル計５８で検出した液位に基づいて、貯水槽５０に貯留されている水をスラリータンク４０に供給するか否かを切り換える。なお、制御部６０による制御動作は、後ほど説明する。また、制御部６０は、開閉弁５６以外にも必要に応じて各部の動作を制御するようにしてもよい。また、制御部６０に加え、別途各部を制御する制御部を設けてもよい。
【００２７】
回収管６２は、スラグ貯蔵タンク３０から排出される水を回収する管路であり、水受け部６３ａとスラリータンク４０とを接続させ、水受け部６３ｂとスラリータンク４０とを接続させる。水受け部６３ａ、６３ｂは、スラグ貯蔵タンク３０の水の排出部分の下方に配置されており、スラグ貯蔵タンク３０から排出された水を回収する。水受け部６３ａ、６３ｂは、回収した水を回収管６２に流す。なお、水受け部６３ａは、スラグ貯蔵タンク３０の傾斜部分の下方に配置されており、水受け部６３ｂは、スラグ貯蔵タンク３０の垂直部分の下方に配置されている。
【００２８】
スラグ貯蔵タンク３０は、スラグ搬送部２８により搬送されたスラグを貯蔵するタンクである。図２は、図１に示すスラグ貯蔵タンクの概略構成を示す側面図であり、図３は、図２のＡ−Ａ線断面図である。スラグ貯蔵タンク３０は、図１から図３に示すように、本体１０１と、フィルタ１０６と、補強部１１２とを有する。本体１０１は、中空の塔、本実施形態では、断面（水平方向の面）が四角形となる筒形状であり、鉛直方向下側に、径が徐々に小さくなる端部が設けられている。フィルタ１０６は、スラグは通過させず、水は通過させる部材であり、本体１０１の側面（壁面）に複数、配置されている。複数のフィルタ１０６は、本体１０１の１つの面の鉛直方向の各位置に配置されている。なお、フィルタ１０６としては、スラグは通過できず、水は通過できる径の穴が複数形成された部材を用いることができる。補強部１１２は、本体１０１の周方向に一周して配置された棒状の部材であり、本体１０１の外周面に複数配置されている。なお、補強部１１２は、本体１０１の周方向に一周連結していればよく、その配置位置は、限定されない。なお、補強部１１２は、フィルタ１０６が設けられていない領域に配置されている。スラグ貯蔵タンク３０は、以上のような構成であり、スラグ搬送部２８からスラグ及び水が供給されたら、フィルタ１０６から水のみを排出し、内部にスラグを貯蔵する。
【００２９】
排出口３２は、スラグ貯蔵タンク３０の下方の端部に配置されており、スラグ貯蔵タンク３０に貯蔵されているスラグの排出の実行、停止を制御する。排出口３２から排出されたスラグは、直下に待機している搬送車両１８に排出される。
【００３０】
スラグ排出システム２０は、以上のような構成であり、ガス化炉１２で生成され、スラグホッパ１４で回収され、開閉弁１６から排出されたスラグをスラグロックホッパ２２に一時的に貯留する。スラグ排出システム２０は、スラグロックホッパ２２に貯留したスラグをスラグ冷却部２６の冷却タンク２６ａに搬送し、冷却タンク２６ａで冷却した後、搬送コンベア２６ｂでスラリータンク４０に搬送する。
【００３１】
スラグ排出システム２０は、輸送管４２とスラリーポンプ４３により、スラリータンク４０に貯留されたスラグを水と共にスラグ貯蔵タンク３０に搬送する。また、スラグ貯蔵タンク３０にスラグとともに搬送された水は、フィルタ１０６から排出され、水受け部６３ａ、６３ｂに落下する。水受け部６３ａ、６３ｂに落下した水は、回収管６２を介してスラリータンク４０に搬送される。また、液位調整手段４４は、スラリータンク４０の液位の液位を一定範囲に維持する。
【００３２】
スラグ排出システム２０は、上述したスラグの搬送を継続し、スラグ貯蔵タンク３０に所定のスラグを搬送したら、スラグの搬送を停止する。その後、スラグ排出システム２０は、スラグ貯蔵タンク３０内の水が、フィルタ１０６から排出され、スラグ貯蔵タンク３０内のスラグが乾燥したら、排出口３２から搬送車両１８にスラグを排出する。搬送車両１８は、スラグを積載し、所定の地点までスラグを搬送する。なお、搬送車両１８は、順次、排出口３２の直下に移動し、スラグを積載したら、所定の地点まで移動する。このように、搬送車両１８は、スラグの搬送を繰り返す。
【００３３】
次に図４を用いて、スラグ排出システム２０、特に液位調整手段４４の動作について説明する。図４は、スラグ排出システムの動作を説明するフロー図である。
【００３４】
スラグ排出システム２０の液位調整手段４４の制御部６０は、まず、ステップＳ１２として水位を計測（検出）する。制御部６０は、ステップＳ１２で水位を計測したら、ステップＳ１４として、計測された水位が下限値以下かを判定する。制御部６０は、ステップＳ１４で計測された水位が下限値以下である（Ｙｅｓ）と判定したら、ステップＳ１６として、現状設定されている水の供給量を一定量増加させる。つまり、開閉弁５６の開度を大きくし、スラリータンク４０に供給する水の量を一定量多くする。その後、制御部６０は、ステップＳ２４に進む。
【００３５】
また、制御部６０は、ステップＳ１４で、計測された水位が下限値より大きい（Ｎｏ）と判定したら、ステップＳ１８として、計測された水位が上限値以上であるかを判定する。制御部６０は、ステップＳ１８で、計測された水位が上限値以上である（Ｙｅｓ）と判定したら、ステップＳ２２として、現状設定されている水の供給量を一定量減少させる。つまり、開閉弁５６の開度を小さくし、スラリータンク４０に供給する水の量を一定量少なくする。その後、制御部６０は、ステップＳ２４に進む。また、制御部６０は、ステップＳ１８で、計測された水位が上限値より小さい（Ｎｏ）と判定したら、ステップＳ２４に進む。
【００３６】
制御部６０は、ステップＳ２４で、終了（処理終了）かを判定する。制御部６０は、ステップＳ２４で、処理終了ではない（Ｎｏ）と判定したらステップＳ１２に進み、上述した処理を繰り返す。他方、制御部６０は、ステップＳ２４で、処理終了である（Ｙｅｓ）と判定したら処理を終了する。
【００３７】
スラグ排出システム２０の液位調整手段４４は、このようにして、貯水槽５０からスラリータンク４０に供給する水の量を制御する。なお、上記制御では、水の供給量を一定量増加、減少させたが、これに限定されない。例えば、水位が上限値以上の場合は、空気供給量を０としてもよく、水位が下限値以下の場合は、水の供給量を最大とするようにしてもよい。つまり、開閉弁５６を制御し、スラリータンク４０に水を供給するかしないかを切り換えるようにしてもよい。すなわち、ＯＮ／ＯＦＦの制御を行うようにしてもよい。
また、水の供給量は、開閉弁５６の開閉回数で調整しても、開閉弁５６の開閉開度で調整してもよい。また、給水ポンプ５２で送液する水の量で調整してもよい。また、水位の上限値と下限値とは、異なる値とすることが好ましいが、同じ値としてもよい。つまり、ステップＳ１４で使用される下限値とステップＳ１８で使用される上限値を同じ値としてもよい。
【００３８】
スラグ排出システム２０は、以上のような構成であり、スラグを水に混入し、スラリー状にしてスラグ貯蔵タンク３０に供給することで、スラグをスラグ貯蔵タンク３０に搬送することができる。スラグ排出システム２０は、スラリー状にしてスラグを搬送するため、配管の経路の自由度を高くすることができる。つまり、搬送経路が直線状でなくても、また、搬送経路の傾斜角が任意の角度であっても、スラグを搬送することができる。これにより、装置をコンパクトに配置することができる。
【００３９】
また、スラグ貯蔵タンク３０の側面にフィルタ１０６を設け、水（液体）を排出する構成とすることで、スラグ貯蔵タンク３０から、スラグの搬送に利用した水を効率よく、かつ、簡単に排出することができる。また、スラグ貯蔵タンク３０のフィルタ１０６から排出した水を回収し、スラリータンク４０に戻すことで、搬送に使用する水を効率よく利用することができる。また、フィルタ１０６から一部のスラグが排出されてしまった場合も、再びスラグ貯蔵タンク３０にスラリーとして供給することができ、スラグをより無駄なく、搬送することができる。
【００４０】
さらに、スラグ排出システム２０は、液位調整手段４４によりスラリータンク４０の液位（水位）を一定範囲に維持する。これにより、スラリータンク４０で保持する水を一定範囲にすることができ、スラリータンク４０からスラグ貯蔵タンク３０に送るスラリーのスラグの濃度を一定濃度範囲内とすることができる。つまり、スラグ貯蔵タンク３０から排出され、スラリータンク４０へ回収される水の量が変化しても、スラリータンク４０の液位を一定範囲にすることができる。例えば、スラグ貯蔵タンク３０のスラグの貯蔵が変化し、液位が変化したことで、スラグ貯蔵タンク３０からの水の排出量が変化し、回収する水の量が変化した場合でも、その変動に応じて、液位調整手段４４がスラリータンク４０への水の供給を調整することで、スラリータンクの液位を一定範囲に維持することができる。
【００４１】
このように、スラグ排出システム２０は、スラリー内のスラグの濃度を一定濃度範囲内にできることで、スラグの濃度が高くなり、スラリーを搬送できなくなることを抑制することができる。例えば、スラリー内のスラグの濃度を４０％以下に維持することができ、スラリータンク４０からスラグ貯蔵タンク３０に適切にスラグを搬送することができる。また、スラグ排出システム２０は、スラリー内のスラグの濃度を一定濃度範囲内にできることで、スラグを効率よく搬送することができる。つまり、スラリーに含まれるスラグの量が少なくなり、搬送効率が低下することを抑制することができる。なお、スラリー内のスラグの濃度の範囲は、装置の構成や、ポンプの性能等によって種々の値となるため、特に限定されないが、例えば、５％から４０％にすることが好ましい。
【００４２】
スラグ排出システム２０は、スラグ冷却部２６の搬送コンベア２６ｂの駆動を制御することで、スラリータンク４０へのスラグの供給を制御してもよい。また、スラリータンク４０へのスラグの供給は一定として制御を行ってもよい。
【００４３】
また、液位調整手段４４は、オーバーフロー管５４を設けることで、スラリータンク４０の液位をより確実に一定液位以下とすることができる。また、液位調整手段４４は、循環配管５３を設けることで、給水ポンプ５２を常に稼動させた状態とすることができる。これにより、応答性を高くすることができる。なお、液位調整手段４４で循環させている水、貯水槽５０に貯水している水は、他の用途に使用してもよい。
【００４４】
また、本実施形態の液位調整手段４４は、液位を一定範囲とするように制御したが、本発明はこれに限定されず、液位が一定以上に維持されるように制御してもよい。つまり、スラリータンク４０の液位が一定液位（下限値）よりも低くなったことを検出したら、スラリータンク４０に水を供給するようにしてもよい。また、常に水を供給し、上限値を超える水は、オーバーフロー管５４で回収するようにしてもよい。つまり、液位をオーバーフロー管５４で液体が回収される液位で維持するようにしてもよい。なお、このように、常に水を供給する構成は、水を過剰に供給することになり、エネルギー効率は低下する。
【００４５】
なお、本実施形態では、スラグをスラリー状にするための液体として、水を用いたが、液体であればよく、水以外の液体も用いることができる。
【００４６】
次に、図５は、スラグ排出システムの他の実施形態の概略構成を示す模式図である。なお、図５に示すスラグ排出システム２２０は、スラグ搬送部２２８が液位調整手段４４を備えていない点を除いて、他の構成は、スラグ排出システム２０と同様の構成である。スラグ排出システム２０と同様の構成となる部分には、同様の符号を付して、詳細な説明を省略し、以下、スラグ排出システム２２０に特有の点を説明する。
【００４７】
図５に示すスラグ排出システム２２０も、ガス化炉１２で生成され、スラグホッパ１４の開閉弁１６から排出されたスラグを搬送車両１８に排出するシステムである。スラグ排出システム２２０は、スラグロックホッパ２２と、スラグ冷却部２６と、スラグ搬送部２２８と、スラグ貯蔵タンク３０と、排出口３２とを有する。スラグ搬送部２２８は、スラグ冷却部２６から排出されたスラグをスラグ貯蔵タンク３０に搬送する搬送機構であり、スラリータンク４０と、輸送管４２と、スラリーポンプ４３と、回収管６２と、水受け部６３ａ、６３ｂとを有する。
【００４８】
スラグ排出システム２２０、及び、スラグ搬送部２２８は、以上のような構成であり、スラリータンク４０、輸送管４２、スラグ貯蔵タンク３０、回収管６２を流れる液体（水）の総量が基本的に変わらない。このように、液位調整手段４４により、スラリータンク４０の液位を調整しない場合は、スラリータンク４０の液位が変動するが、この場合であっても、スラグ貯蔵タンク３０に供給された水を、フィルタ１０６により外部に排出し、水受け部６３ａ、６３ｂ及び回収管６２によりスラリータンク４０に回収することで、水を効率よく使用することができる。
【産業上の利用可能性】
【００４９】
以上のように、本発明にかかるスラグ排出システムは、スラグを排出するのに有用であり、特に、燃焼炉で生成されたスラグを冷却し、所定の位置に排出するのに適している。
【符号の説明】
【００５０】
１２  ガス化炉
１４  スラグホッパ
１６  開閉弁
１８  搬送車両
２０  スラグ排出システム
２２  スラグロックホッパ
２６  スラグ冷却部
２６ａ  冷却タンク
２６ｂ  搬送コンベア
２８  スラグ搬送部
３０  スラグ貯蔵タンク
３２  排出口
４０  スラリータンク
４２  輸送管
４３  スラリーポンプ
４４  液位調整手段
５０  貯水槽
５１  供給配管
５２  給水ポンプ
５３  循環配管
５４  オーバーフロー管
５６  開閉弁
５８  レベル計
６０  制御部
６２  回収管
６３ａ、６３ｂ  水受け部
１０１  本体
１０６  フィルタ
【図１】
0005601932.tif 000002
【図２】
0005601932.tif 000003
【図３】
0005601932.tif 000004
【図４】
0005601932.tif 000005
【図５】
0005601932.tif 000006